(57)【要約】【課題】緻密に光色を制御できる点灯装置を提供する。【解決手段】点灯装置１は、互いに異なる光色の光を発生する第１発光素子３１および第２発光素子３２を含む光源３を点灯させる。点灯装置１は、制御部１３と、光源駆動部１２とを備える。制御部１３は、光源３に発生させる光の光色を示す光色値ＣTと、光源３に発生させることの可能な光色の寒色側の限界を示す第１限界値ＣCと、光源３に発生させることの可能な光色の暖色側の限界を示す第２限界値ＣWとに基づいて、光源３に発生させる光の光量を定める電流値ＩTを第１発光素子３１と第２発光素子３２とに配分して、第１発光素子３１に流す第１電流Ｉ1の電流値ＩCLと、第２発光素子３２に流す第２電流Ｉ2の電流値ＩWMとを導出する。光源駆動部１２は、電流値ＩCLを有する第１電流Ｉ1を第１発光素子３１に流すとともに、電流値ＩWMを有する第２電流Ｉ2を第２発光素子３２に流す。【選択図】図１
2019192571.tif 000002
【特許請求の範囲】
【請求項１】
互いに異なる光色の光を発生する第１発光素子および第２発光素子を含む光源を点灯させる点灯装置であって、
前記光源に発生させる光の光色を示す光色値と、前記光源に発生させることの可能な光色の寒色側の限界を示す第１限界値と、前記光源に発生させることの可能な光色の暖色側の限界を示す第２限界値とに基づいて、前記光源に発生させる前記光の光量を定める電流値を前記第１発光素子と前記第２発光素子とに配分して、前記第１発光素子に流す第１電流の電流値と、前記第２発光素子に流す第２電流の電流値とを導出する制御部と、
前記導出された電流値を有する前記第１電流を前記第１発光素子に流すとともに、前記導出された電流値を有する前記第２電流を前記第２発光素子に流す光源駆動部と
を備える、点灯装置。
【請求項２】
前記制御部は、
前記第１限界値と前記第２限界値との間の連続する光色値のうちのいずれかの光色値を、前記光源に発生させる前記光の光色を示す前記光色値として受け付け、
前記第１電流の前記電流値の候補であって連続する電流値のうちから、前記受け付けた光色値に応じて前記第１電流の前記電流値を決定する、請求項１に記載の点灯装置。
【請求項３】
前記制御部は、所定関数に基づいて前記第１電流の前記電流値を算出し、
前記所定関数は、前記光源に発生させる前記光の光量を定める前記電流値を示す因子と、配分率を示す因子とを含み、
前記配分率は、前記光源に発生させる前記光の光量を定める前記電流値を、前記第１発光素子または前記第２発光素子に配分する比率を示し、
前記配分率を示す前記因子は、前記光源に発生させる前記光の光色を示す前記光色値と、前記第１限界値と、前記第２限界値とを含む、請求項１または請求項２に記載の点灯装置。
【請求項４】
前記配分率を示す前記因子は、前記第１発光素子の光束と前記第２発光素子の光束との比率を含む、請求項３に記載の点灯装置。
【請求項５】
前記所定関数は、式（１）によって表され、式（１）の「ＩT」は、式（２）によって表され、式（１）の「ＤＦ１」は、式（３）によって表され、
前記第１発光素子は、寒色側の光色を有する光を発生し、
前記第２発光素子は、暖色側の光色を有する光を発生する、請求項３または請求項４に記載の点灯装置。
【数１１】
2019192571.tif 000013
ＩCL：前記第１発光素子に流す前記第１電流の前記電流値
ＩT：前記光源に発生させる前記光の光量を定める前記電流値
ＤＦ１：前記光源に発生させる前記光の光量を定める前記電流値を前記第１発光素子に配分する比率を示す前記配分率
ＩMAX：前記光源に流すことの可能な電流の最大値
ＤR：前記光源に発生させる前記光の光量を示す光量値
ＣT：前記光源に発生させる前記光の光色を示す前記光色値
ＣC：寒色側の前記第１限界値
ＣW：暖色側の前記第２限界値
Ｆ１：前記第２発光素子の光束に対する前記第１発光素子の光束の比率
【請求項６】
前記所定関数は、式（４）によって表され、式（４）の「ＩT」は、式（５）によって表され、式（４）の「ＤＦ２」は、式（６）によって表され、
前記第１発光素子は、寒色側の光色を有する光を発生し、
前記第２発光素子は、暖色側の光色を有する光を発生する、請求項３または請求項４に記載の点灯装置。
【数１２】
2019192571.tif 000014
ＩWM：前記第２発光素子に流す前記第２電流の前記電流値
ＩT：前記光源に発生させる前記光の光量を定める前記電流値
ＤＦ２：前記光源に発生させる前記光の光量を定める前記電流値を前記第２発光素子に配分する比率を示す前記配分率
ＩMAX：前記光源に流すことの可能な電流の最大値
ＤR：前記光源に発生させる前記光の光量を示す光量値
ＣT：前記光源に発生させる前記光の光色を示す前記光色値
ＣC：寒色側の前記第１限界値
ＣW：暖色側の前記第２限界値
Ｆ２：前記第１発光素子の光束に対する前記第２発光素子の光束の比率
【請求項７】
前記第１限界値は、前記第１発光素子が発生させる光の光色を示し、
前記第２限界値は、前記第２発光素子が発生させる光の光色を示す、請求項１から請求項６のいずれか１項に記載の点灯装置。
【請求項８】
前記制御部は、前記第１限界値および前記第２限界値のうちの少なくとも１つを変更可能である、請求項７に記載の点灯装置。
【請求項９】
光源と、
前記光源を点灯させる点灯装置と
を備え、
前記光源は、互いに異なる光色の光を発生する第１発光素子および第２発光素子を含み、
前記点灯装置は、
前記光源に発生させる光の光色を示す光色値と、前記光源に発生させることの可能な光色の寒色側の限界を示す第１限界値と、前記光源に発生させることの可能な光色の暖色側の限界を示す第２限界値とに基づいて、前記光源に発生させる前記光の光量を定める電流値を前記第１発光素子と前記第２発光素子とに配分して、前記第１発光素子に流す第１電流の電流値と、前記第２発光素子に流す第２電流の電流値とを導出する制御部と、
前記導出された電流値を有する前記第１電流を前記第１発光素子に流すとともに、前記導出された電流値を有する前記第２電流を前記第２発光素子に流す光源駆動部と
を含む、点灯装置。
【請求項１０】
照明器具と、
前記照明器具を制御する照明制御装置と
を備え、
前記照明器具は、
光源と、
前記光源を点灯させる点灯装置と
を含み、
前記光源は、互いに異なる光色の光を発生する第１発光素子および第２発光素子を含み、
前記点灯装置は、
前記光源に発生させる光の光色を示す光色値と、前記光源に発生させることの可能な光色の寒色側の限界を示す第１限界値と、前記光源に発生させることの可能な光色の暖色側の限界を示す第２限界値とに基づいて、前記光源に発生させる前記光の光量を定める電流値を前記第１発光素子と前記第２発光素子とに配分して、前記第１発光素子に流す第１電流の電流値と、前記第２発光素子に流す第２電流の電流値とを導出する制御部と、
前記導出された電流値を有する前記第１電流を前記第１発光素子に流すとともに、前記導出された電流値を有する前記第２電流を前記第２発光素子に流す光源駆動部と
を含み、
前記照明制御装置は、前記点灯装置に光色制御信号を送信し、
前記光色制御信号は、前記光源に発生させる前記光の光色を示す前記光色値を含む、照明システム。
【発明の詳細な説明】
【技術分野】
【０００１】
本発明は、点灯装置、照明器具、および照明システムに関する。
【背景技術】
【０００２】
特許文献１に記載された光源駆動装置は、ＲＯＭと、マイコンと、第１点灯回路と、第２点灯回路とを備えている。ＲＯＭは、調光調色メモリテーブルを格納している。具体的には、ＲＯＭは、白色ＬＥＤ用ＤＣ調光調色テーブルと、橙色ＬＥＤ用ＤＣ調光調色テーブルとを記憶している。白色ＬＥＤ用ＤＣ調光調色テーブルおよび橙色ＬＥＤ用ＤＣ調光調色テーブルには、Ｄｕｔｙが格納されている。
【０００３】
マイコンは、ＨＯＳＴユニットから入力される調光調色指示信号に基づき、白色ＬＥＤ用ＤＣ調光調色テーブルおよび橙色ＬＥＤ用ＤＣ調光調色テーブルを参照して、Ｄｕｔｙを読み出す。そして、マイコンは、白色ＬＥＤ用ＤＣ調光調色テーブルから読み出したＤｕｔｙを第１点灯回路に出力する。また、マイコンは、橙色ＬＥＤ用ＤＣ調光調色テーブルから読み出したＤｕｔｙを第２点灯回路に出力する。その結果、第１点灯回路および第２点灯回路によって、発光色の異なる複数のＬＥＤをそれぞれ適切なＤｕｔｙで駆動することにより、調光調色を行うことができる。
【先行技術文献】
【特許文献】
【０００４】
【特許文献１】特開２０１７−３３８４１号公報
【発明の概要】
【発明が解決しようとする課題】
【０００５】
しかしながら、特許文献１に記載された光源駆動装置では、調光調色メモリテーブルは、寒色系のレコード１から暖色系のレコード２５１までの調色階調２５０段を有しているに過ぎない。従って、光源駆動装置は、２５０段で調色を実行できるに過ぎない。つまり、光源駆動装置は、段階的に調色を実行できるに過ぎない。例えば、調色範囲が３５００ケルビン〜６０００ケルビンの色温度の範囲である場合、光源駆動装置は、１０ケルビン単位で調色を実行できるに過ぎない。一方、近年、緻密に調色を実行することが要望されている。つまり、緻密に光色を制御することが要望されている。
【０００６】
本発明は、上記問題に鑑みてなされたものであり、その目的は、緻密に光色を制御できる点灯装置、照明器具、および照明システムを提供することにある。
【課題を解決するための手段】
【０００７】
本願に開示する点灯装置は、互いに異なる光色の光を発生する第１発光素子および第２発光素子を含む光源を点灯させる。点灯装置は、制御部と、光源駆動部とを備える。制御部は、前記光源に発生させる光の光色を示す光色値と、前記光源に発生させることの可能な光色の寒色側の限界を示す第１限界値と、前記光源に発生させることの可能な光色の暖色側の限界を示す第２限界値とに基づいて、前記光源に発生させる前記光の光量を定める電流値を前記第１発光素子と前記第２発光素子とに配分して、前記第１発光素子に流す第１電流の電流値と、前記第２発光素子に流す第２電流の電流値とを導出する。光源駆動部は、前記導出された電流値を有する前記第１電流を前記第１発光素子に流すとともに、前記導出された電流値を有する前記第２電流を前記第２発光素子に流す。
【０００８】
本願に開示する点灯装置において、前記制御部は、前記第１限界値と前記第２限界値との間の連続する光色値のうちのいずれかの光色値を、前記光源に発生させる前記光の光色を示す前記光色値として受け付けることが好ましい。制御部は、前記第１電流の前記電流値の候補であって連続する電流値のうちから、前記受け付けた光色値に応じて前記第１電流の前記電流値を決定することが好ましい。
【０００９】
本願に開示する点灯装置において、前記制御部は、所定関数に基づいて前記第１電流の前記電流値を算出することが好ましい。前記所定関数は、前記光源に発生させる前記光の光量を定める前記電流値を示す因子と、配分率を示す因子とを含むことが好ましい。前記配分率は、前記光源に発生させる前記光の光量を定める前記電流値を、前記第１発光素子または前記第２発光素子に配分する比率を示すことが好ましい。前記配分率を示す前記因子は、前記光源に発生させる前記光の光色を示す前記光色値と、前記第１限界値と、前記第２限界値とを含むことが好ましい。
【００１０】
本願に開示する点灯装置において、前記配分率を示す前記因子は、前記第１発光素子の光束と前記第２発光素子の光束との比率を含むことが好ましい。
【００１１】
本願に開示する点灯装置において、前記所定関数は、式（１）によって表され、式（１）の「ＩT」は、式（２）によって表され、式（１）の「ＤＦ１」は、式（３）によって表されることが好ましい。前記第１発光素子は、寒色側の光色を有する光を発生することが好ましい。前記第２発光素子は、暖色側の光色を有する光を発生することが好ましい。
【００１２】
【数１】
2019192571.tif 000003
【００１３】
ＩCL：前記第１発光素子に流す前記第１電流の前記電流値
ＩT：前記光源に発生させる前記光の光量を定める前記電流値
ＤＦ１：前記光源に発生させる前記光の光量を定める前記電流値を前記第１発光素子に配分する比率を示す前記配分率
ＩMAX：前記光源に流すことの可能な電流の最大値
ＤR：前記光源に発生させる前記光の光量を示す光量値
ＣT：前記光源に発生させる前記光の光色を示す前記光色値
ＣC：寒色側の前記第１限界値
ＣW：暖色側の前記第２限界値
Ｆ１：前記第２発光素子の光束に対する前記第１発光素子の光束の比率
【００１４】
本願に開示する点灯装置において、前記所定関数は、式（４）によって表され、式（４）の「ＩT」は、式（５）によって表され、式（４）の「ＤＦ２」は、式（６）によって表されることが好ましい。前記第１発光素子は、寒色側の光色を有する光を発生することが好ましい。前記第２発光素子は、暖色側の光色を有する光を発生することが好ましい。
【００１５】
【数２】
2019192571.tif 000004
【００１６】
ＩWM：前記第２発光素子に流す前記第２電流の前記電流値
ＩT：前記光源に発生させる前記光の光量を定める前記電流値
ＤＦ２：前記光源に発生させる前記光の光量を定める前記電流値を前記第２発光素子に配分する比率を示す前記配分率
ＩMAX：前記光源に流すことの可能な電流の最大値
ＤR：前記光源に発生させる前記光の光量を示す光量値
ＣT：前記光源に発生させる前記光の光色を示す前記光色値
ＣC：寒色側の前記第１限界値
ＣW：暖色側の前記第２限界値
Ｆ２：前記第１発光素子の光束に対する前記第２発光素子の光束の比率
【００１７】
本願に開示する点灯装置において、前記第１限界値は、前記第１発光素子が発生させる光の光色を示すことが好ましい。前記第２限界値は、前記第２発光素子が発生させる光の光色を示すことが好ましい。
【００１８】
本願に開示する点灯装置において、前記制御部は、前記第１限界値および前記第２限界値のうちの少なくとも１つを変更可能であることが好ましい。
【００１９】
本願に開示する照明制御装置は、光源と、前記光源を点灯させる点灯装置とを備える。前記光源は、互いに異なる光色の光を発生する第１発光素子および第２発光素子を含む。前記点灯装置は、制御部と、光源駆動部とを含む。制御部は、前記光源に発生させる光の光色を示す光色値と、前記光源に発生させることの可能な光色の寒色側の限界を示す第１限界値と、前記光源に発生させることの可能な光色の暖色側の限界を示す第２限界値とに基づいて、前記光源に発生させる前記光の光量を定める電流値を前記第１発光素子と前記第２発光素子とに配分して、前記第１発光素子に流す第１電流の電流値と、前記第２発光素子に流す第２電流の電流値とを導出する。光源駆動部は、前記導出された電流値を有する前記第１電流を前記第１発光素子に流すとともに、前記導出された電流値を有する前記第２電流を前記第２発光素子に流す。
【００２０】
本願に開示する照明システムは、照明器具と、前記照明器具を制御する照明制御装置とを備える。前記照明器具は、光源と、前記光源を点灯させる点灯装置とを含む。前記光源は、互いに異なる光色の光を発生する第１発光素子および第２発光素子を含む。前記点灯装置は、制御部と、光源駆動部とを含む。制御部は、前記光源に発生させる光の光色を示す光色値と、前記光源に発生させることの可能な光色の寒色側の限界を示す第１限界値と、前記光源に発生させることの可能な光色の暖色側の限界を示す第２限界値とに基づいて、前記光源に発生させる前記光の光量を定める電流値を前記第１発光素子と前記第２発光素子とに配分して、前記第１発光素子に流す第１電流の電流値と、前記第２発光素子に流す第２電流の電流値とを導出する。光源駆動部は、前記導出された電流値を有する前記第１電流を前記第１発光素子に流すとともに、前記導出された電流値を有する前記第２電流を前記第２発光素子に流す。前記照明制御装置は、前記点灯装置に光色制御信号を送信する。前記光色制御信号は、前記光源に発生させる前記光の光色を示す前記光色値を含む。
【発明の効果】
【００２１】
本発明によれば、緻密に（例えば連続的に）光色を制御できる。
【図面の簡単な説明】
【００２２】
【図１】本発明の実施形態１に係る照明器具を示す図である。
【図２】本発明の実施形態２に係る照明システムを示す図である。
【発明を実施するための形態】
【００２３】
以下、本発明の実施形態について、図面を参照しながら説明する。なお、図中、同一または相当部分については同一の参照符号を付して説明を繰り返さない。
【００２４】
（実施形態１）
図１を参照して、本発明の実施形態１に係る照明器具１００を説明する。図１は、照明器具１００を示す図である。図１に示すように、照明器具１００は、点灯装置１と、光源３とを含む。点灯装置１は光源３を点灯させる。点灯装置１は、光源３の光量および／または光色を制御する。光量の制御は「調光」の一例に相当する。光色の制御は「調色」の一例に相当する。
【００２５】
具体的には、点灯装置１は、通信部１１と、光源駆動部１２と、制御部１３とを含む。通信部１１は、照明制御装置（不図示）と通信する。具体的には、通信部１１は、通信機であり、照明制御装置から、光量制御信号および／または光色制御信号を受信する。
【００２６】
光量制御信号は光量値ＤRを含む。光量値ＤRは光源３の光量を示す。光色制御信号は光色値ＣTを含む。光色値ＣTは光源３の光色を示す。光量値ＤRおよび光色値ＣTの詳細は後述する。
【００２７】
制御部１３は、光量制御信号を受信すると、光量制御信号に含まれる光量値ＤRを光源３の光量値に設定する。制御部１３は、光色制御信号を受信すると、光色制御信号に含まれる光色値ＣTを光源３の光色値に設定する。
【００２８】
制御部１３は、光量値ＤRと光色値ＣTとに基づいて、光源駆動部１２を制御する。具体的には、通信部１１が光量制御信号および光色制御信号を受信した場合には、制御部１３は、光量制御信号に含まれる光量値ＤRと、光色制御信号に含まれる光色値ＣTとに基づいて光源３を制御する。通信部１１が光量制御信号だけを受信した場合には、制御部１３は、光量制御信号に含まれる光量値ＤRと、光源３に設定されている最新の光量値ＤRとに基づいて光源３を制御する。通信部１１が光色制御信号だけを受信した場合には、制御部１３は、光色制御信号に含まれる光色値ＣTと、光源３に設定されている最新の光量値ＤRとに基づいて光源駆動部１２を制御する。
【００２９】
制御部１３は、ＭＣＵ（Ｍｉｃｒｏ  Ｃｏｎｔｒｏｌｌｅｒ  Ｕｎｉｔ）のようなコンピューターである。具体的には、制御部１３は、記憶部１３ａと、プロセッサー（不図示）とを含む。記憶部１３ａは、記憶装置であり、コンピュータープログラムおよびデータを記憶する。記憶部１３ａは、光量値ＤRおよび光色値ＣTを記憶する。プロセッサーは、記憶部１３ａに記憶されたコンピュータープログラムを実行して、通信部１１および光源駆動部１２を制御する。
【００３０】
光源駆動部１２は、制御部１３の制御に従って、光量値ＤRおよび光色値ＣTを有する光を発生するように、光源３を駆動する。具体的には、光源駆動部１２は、交流直流変換回路１２１と、定電流回路１２２とを含む。
【００３１】
交流直流変換回路１２１は、交流電源４００から供給される交流電圧を直流電圧に変換する。定電流回路１２２は、交流直流変換回路１２１が出力した直流電圧に基づいて定電流を生成する。
【００３２】
具体的には、定電流回路１２２は、定電流である電流ＩLT（以下、「光源電流ＩLT」と記載する。）を生成して、光源電流ＩLTを光源３に流す。光源電流ＩLTは、第１電流Ｉ1および第２電流Ｉ2を含む。第１電流Ｉ1および第２電流Ｉ2は、互いに異なる電源線によって光源３に供給される。従って、定電流回路１２２は、第１電流Ｉ1および第２電流Ｉ2をそれぞれ生成する。光源電流ＩLT、第１電流Ｉ1、および、第２電流Ｉ2の詳細は後述する。
【００３３】
光源３には光源電流ＩLTが流れる。その結果、光源３は光を発生する。具体的には、光源３は、第１発光素子３１および第２発光素子３２を有する。実施形態１では、光源３は、複数の第１発光素子３１と、複数の第２発光素子３２とを含む。複数の第１発光素子３１は直列に接続される。複数の第２発光素子３２は直列に接続される。なお、光源３は、１つの第１発光素子３１と１以上の第２発光素子３２とを有していてもよいし、１以上の第１発光素子３１と１つの第２発光素子３２とを有していてもよい。
【００３４】
具体的には、第１発光素子３１には第１電流Ｉ1が流れる。その結果、第１発光素子３１は光を発生する。第２発光素子３２には第２電流Ｉ2が流れる。その結果、第２発光素子３２は光を発生する。第１発光素子３１および第２発光素子３２は、互いに異なる光色の光を発生する。そして、第１発光素子３１の光と第２発光素子３２の光とを混光することによって、光源３の光色が制御される。
【００３５】
第１発光素子３１および第２発光素子３２の各々は、例えば、発光ダイオード（Ｌｉｇｈｔ  Ｅｍｉｔｔｉｎｇ  Ｄｉｏｄｅ：ＬＥＤ）を含む。第１発光素子３１および第２発光素子３２の各々は、例えば、発光ダイオードを覆う蛍光体のような付属体と、発光ダイオードとを含んでいてもよい。
【００３６】
引き続き図１を参照して、制御部１３を更に具体的に説明する。制御部１３は、光色値ＣTと第１限界値ＣCと第２限界値ＣWとに基づいて、電流値ＩTを第１発光素子３１と第２発光素子３２とに配分して、第１電流Ｉ1の電流値ＩCLと、第２電流Ｉ2の電流値ＩWMとを導出する。つまり、制御部１３は、光色値ＣTと第１限界値ＣCと第２限界値ＣWとに基づいて、電流値ＩTの一部を第１発光素子３１に割り当てるとともに、電流値ＩTの他の一部を第２発光素子３２に割り当てて、電流値ＩCLと電流値ＩWMとを決定する。
【００３７】
光色値ＣTは、光源３に設定する光色の設定値であり、光源３に発生させる光の光色を示す。実施形態１では、光色値ＣTは、光色を示す値として色温度としている。第１限界値ＣCは、光源３に発生させることの可能な光色の寒色側の限界を示す。第１限界値ＣCは、例えば、５０００ケルビンである。第２限界値ＣWは、光源３に発生させることの可能な光色の暖色側の限界を示す。第２限界値ＣWは、例えば、２７００ケルビンである。電流値ＩTは、光源３に流す光源電流ＩLTの電流値である。電流値ＩTは、光源３に発生させる光の光量を定める。電流値ＩTが大きい程、光源３の光量が大きくなる。電流値ＩTが第１発光素子３１と第２発光素子３２とに配分されるため、第１電流Ｉ1の電流値ＩCLと第２電流Ｉ2の電流値ＩWMとの和は、電流値ＩTに一致する（ＩCL＋ＩWM＝ＩT）。
【００３８】
光源駆動部１２は、制御部１３によって導出された電流値ＩCLを有する第１電流Ｉ1を第１発光素子３１に流すとともに、制御部１３によって導出された電流値ＩWMを有する第２電流Ｉ2を第２発光素子３２に流す。その結果、第１発光素子３１は電流値ＩCLに応じて発光し、第２発光素子３２は電流値ＩWMに応じて発光する。
【００３９】
実施形態１によれば、制御部１３は、第１限界値ＣCと第２限界値ＣWとの間の連続する光色値のうちから、設定値としての光色値ＣTを受け付けることができる。そして、制御部１３は、光色値ＣTに応じて電流値ＩTを第１発光素子３１と第２発光素子３２とに配分して、電流値ＩCLおよび電流値ＩWMを導出する。その結果、制御部１３は、調光調色テーブルを参照して段階的に電流値ＩCLおよび電流値ＩWMを決定する場合と比較して、光色値ＣTに応じて緻密に光源３の光色を制御できる。例えば、光色値ＣTに応じて連続的に光源３の光色を制御できる。
【００４０】
本明細書において、「緻密」は、「連続的なこと」を含む概念である。
【００４１】
具体的には、制御部１３は、第１限界値ＣCと第２限界値ＣWとの間の連続する光色値のうちのいずれかの光色値を、光源３に発生させる光の光色を示す光色値ＣTとして受け付ける。そして、制御部１３は、第１電流Ｉ1の電流値ＩCLの候補であって連続する電流値のうちから、受け付けた光色値ＣTに応じて第１電流Ｉ1の電流値ＩCLを決定する。従って、実施形態１によれば、調光調色テーブルを参照して電流値ＩCLを決定する場合と比較して、段階的な値ではなく、緻密な値として電流値ＩCLを決定できる。例えば、連続的な値として電流値ＩCLを決定できる。
【００４２】
また、制御部１３は、第１電流Ｉ1の電流値ＩCLと、光源電流ＩLTの電流値ＩTとに基づいて、第２電流Ｉ2の電流値ＩWMを決定する。緻密な電流値ＩCLに基づいて電流値ＩWMが決定されるため、電流値ＩWMもまた緻密な値である。例えば、連続的な値として電流値ＩWMを決定できる。
【００４３】
実施形態１によれば、緻密に決定された電流値ＩCLを有する第１電流Ｉ1が第１発光素子３１に流れ、緻密に決定された電流値ＩWMを有する第２電流Ｉ2が第２発光素子３２に流れる。その結果、段階的な光色の制御ではなく、光色値ＣTに応じた緻密な光色の制御を実現できる。
【００４４】
更に具体的には、制御部１３は、光量値ＤRと光色値ＣTと第１限界値ＣCと第２限界値ＣWとに基づいて、電流値ＩTを第１発光素子３１と第２発光素子３２とに配分して、電流値ＩCLと、電流値ＩWMとを導出する。つまり、制御部１３は、光量値ＤRと光色値ＣTと第１限界値ＣCと第２限界値ＣWとに基づいて、電流値ＩTの一部を第１発光素子３１に割り当てるとともに、電流値ＩTの他の一部を第２発光素子３２に割り当てて、電流値ＩCLと電流値ＩWMとを決定する。
【００４５】
光量値ＤRは、光源３に設定する光量の設定値であり、光源３に発生させる光の光量を示す。実施形態１では、光量値ＤRは、１％〜１００％の範囲の数値によって光量を示す。そして、制御部１３は、光量値ＤRと、光源３に流すことの可能な電流の最大値ＩMAXとに基づいて、光源電流ＩLTの電流値ＩTを算出する。
【００４６】
以下の実施形態１の説明においては、第１電流Ｉ1を流す第１発光素子３１は、寒色側（寒色系）の光色を有する光を発生する。第２電流Ｉ2を流す第２発光素子３２は、暖色側（暖色系）の光色を有する光を発生する。具体的には、第１発光素子３１の光の色温度は、第２発光素子３２の光の色温度よりも高い。第１発光素子３１の光と第２発光素子３２の光とを混光することによって、光源３の光色が制御される。
【００４７】
次に、式（１Ａ）、式（２Ａ）、式（３Ａ）、および式（４Ａ）を参照して、制御部１３を説明する。まず、式（１Ａ）〜式（３Ａ）を参照して、制御部１３による第１電流Ｉ1の電流値ＩCLの算出処理を説明する。
【００４８】
制御部１３は、第１所定関数に基づいて第１電流Ｉ1の電流値ＩCLを算出する。第１所定関数は「所定関数」の一例に相当する。第１所定関数は、式（１Ａ）によって表される。式（１Ａ）に示すように、第１所定関数は、因子ＩTと、因子ＤＦ１とを含む。
【００４９】
【数３】
2019192571.tif 000005
【００５０】
因子ＩTは、光源３に発生させる光の光量を定める電流値ＩTを示す。因子ＤＦ１は第１発光素子３１の配分率を示す。配分率は、電流値ＩTを、第１発光素子３１に配分する比率を示す。
【００５１】
具体的には、式（１Ａ）の因子ＩTは、式（２Ａ）によって表される。式（２Ａ）の示す因子ＩTは、光源３に流すことの可能な電流の最大値ＩMAXと、光源３に発生させる光の光量を示す光量値ＤRとを含む。実施形態１では、光量値ＤRは、０％〜１００％のうちのいずれかの値で示される。つまり、光量値ＤRは、０以上１以下の値で示される。
【００５２】
【数４】
2019192571.tif 000006
【００５３】
例えば、式（２Ａ）において、最大値ＩMAXが１アンペアであり、光量値ＤRが７０％を示す場合は、電流値ＩTは、「１×０．７＝０．７アンペア」である。式（２Ａ）に示すように、電流値ＩTは、設定値である光量値ＤRに応じた値を有する。従って、電流値ＩTは、光源３に発生させる光の光量を定める。実施形態１では、制御部１３は、光量値ＤRとして任意の値を受け付けることができる。従って、制御部１３は、光量値ＤRを式（２Ａ）に入力して、式（２Ａ）を演算することで、段階的な値ではなく、緻密な値として電流値ＩTを算出できる。その結果、緻密に光源３の光量を制御できる。
【００５４】
式（１Ａ）の因子ＤＦ１、つまり、第１発光素子３１の配分率は、式（３Ａ）によって表される。式（３Ａ）の示す因子ＤＦ１は、光源３に発生させる光の光色を示す光色値ＣTと、寒色側の第１限界値ＣCと、暖色側の第２限界値ＣWとを含む。実施形態１では、光色値ＣT、第１限界値ＣC、および第２限界値ＣWが、色温度（ケルビン）によって示される。
【００５５】
【数５】
2019192571.tif 000007
【００５６】
実施形態１では、制御部１３は、第１限界値ＣCと第２限界値ＣWとの間の連続する光色値のうちから、設定値としての光色値ＣTを受け付ける。そして、制御部１３は、式（１Ａ）〜式（３Ａ）によって表される第１所定関数に光色値ＣTを入力する。従って、実施形態１によれば、制御部１３は、第１所定関数を演算することで、段階的な値ではなく、緻密な値として電流値ＩCLを算出できる。
【００５７】
また、実施形態１では、第１限界値ＣCは、寒色側の第１発光素子３１が発生させる光の光色を示す。第２限界値ＣWは、暖色側の第２発光素子３２が発生させる光の光色を示す。従って、第１発光素子３１および第２発光素子３２の各々が発生し得る光色の範囲で混光して、光源３の光色を制御できる。その結果、点灯装置１は、光色の広い範囲で光源３の光色を制御できる。例えば、点灯装置１は、広い色温度の範囲で光源３の光色を制御できる。
【００５８】
さらに、実施形態１では、式（３Ａ）に示すように、第１発光素子３１の配分率を示す因子ＤＦ１は、第１発光素子３１の光束ＦＬ１と第２発光素子３２の光束ＦＬ２との比率Ｆ１をさらに含む。従って、第１発光素子３１の光束ＦＬ１と第２発光素子３２の光束ＦＬ２とに応じて的確に第１発光素子３１の配分率を決定できる。具体的には、式（３Ａ）では、比率Ｆ１は、暖色側の第２発光素子３２の光束ＦＬ２に対する寒色側の第１発光素子３１の光束ＦＬ１の比率を示す（Ｆ１＝ＦＬ１／ＦＬ２）。比率Ｆ１は、例えば、１．２〜１．３である。
【００５９】
なお、第１発光素子３１および第２発光素子３２に互いに同じ電流値の電流を流したときに、第１発光素子３１の発生する光の光束が光束ＦＬ１であり、第２発光素子３２の発生する光の光束が光束ＦＬ２である。
【００６０】
ここで、式（２Ａ）および式（３Ａ）において、光量値ＤRおよび光色値ＣTは、設定値であるため、変数である。最大値ＩMAX、第１限界値ＣC、第２限界値ＣW、および比率Ｆ１は、定数である。ただし、制御部１３は、第１限界値ＣCおよび第２限界値ＣWのうちの少なくとも１つを変更可能である。従って、第１発光素子３１および第２発光素子３２のうちの少なくとも１つが変更されて、第１発光素子３１および第２発光素子３２のうちの少なくとも１つの光色が変更された場合であっても、第１発光素子３１および第２発光素子３２の各々が発生し得る光色の範囲で混光して、光源３の光色を制御できる。従って、制御部１３は、第１発光素子３１および第２発光素子３２の能力を最大限活用して、好適な光色の制御を実行できる。
【００６１】
次に、式（４Ａ）を参照して、制御部１３による第２電流Ｉ2の電流値ＩWMの算出処理を説明する。
【００６２】
制御部１３は、第２所定関数に基づいて第２電流Ｉ2の電流値ＩWMを算出する。第２所定関数は、式（４Ａ）によって表される。式（４Ａ）に示すように、第２所定関数は、式（２Ａ）によって算出された電流値ＩTと、式（１Ａ）〜式（３Ａ）によって算出された第１電流Ｉ1の電流値ＩCLとを含む。制御部１３は、第２所定関数に、緻密な値である電流値ＩCLを入力する。そして、制御部１３は、第２所定関数を演算することで、段階的な値ではなく、緻密な値として電流値ＩWMを算出できる。
【００６３】
【数６】
2019192571.tif 000008
【００６４】
以上、式（１Ａ）〜式（４Ａ）を参照して説明したように、実施形態１によれば、制御部１３は、第１所定関数および第２所定関数を演算して、電流値ＩCLおよび電流値ＩWMを算出する。従って、電流値ＩCLと電流値ＩWMとの各々は、段階的な値ではなく、緻密な値（例えば連続的な値）として出力される。その結果、段階的な光色の制御ではなく、設定値である光色値ＣTに応じて光源３の光色を緻密に（例えば連続的に）制御できる。また、段階的な光量の制御ではなく、設定値である光量値ＤRに応じて光源３の光量を緻密に（例えば連続的に）制御できる。なお、記憶部１３ａは、第１所定関数および第２所定関数を記憶している。
【００６５】
（変形例）
図１を参照して、実施形態１の変形例に係る点灯装置１を説明する。変形例に係る点灯装置１が第２発光素子３２の配分率に基づいて第２電流Ｉ2の電流値ＩWMを算出する点で、変形例は実施形態１と主に異なる。以下、変形例が実施形態１と異なる点を主に説明する。なお、変形例では、第１発光素子３１は、寒色側（寒色系）の光色を有する光を発生する。第２発光素子３２は、暖色側（暖色系）の光色を有する光を発生する。
【００６６】
まず、図１、式（１Ｂ）〜式（３Ｂ）を参照して、制御部１３による第２電流Ｉ2の電流値ＩWMの算出処理を説明する。図１に示す制御部１３は、第３所定関数に基づいて第２電流Ｉ2の電流値ＩWMを算出する。第３所定関数は「所定関数」の一例に相当する。第３所定関数は、式（１Ｂ）によって表される。式（１Ｂ）に示すように、第３所定関数は、因子ＩTと、因子ＤＦ２とを含む。
【００６７】
【数７】
2019192571.tif 000009
【００６８】
因子ＩTは、光源電流ＩLTの電流値ＩTを示す。因子ＤＦ２は、第２発光素子３２の配分率を示す。配分率は、電流値ＩTを、第２発光素子３２に配分する比率を示す。
【００６９】
具体的には、式（１Ｂ）の因子ＩTは、式（２Ｂ）によって表される。式（２Ｂ）の示す因子ＩTは、実施形態１に係る式（２Ａ）の示す因子ＩTと同様であり、説明を省略する。
【００７０】
【数８】
2019192571.tif 000010
【００７１】
式（１Ｂ）の因子ＤＦ２、つまり、第２発光素子３２の配分率は、式（３Ｂ）によって表される。式（３Ｂ）の示す因子ＤＦ２は、光源３に発生させる光の光色を示す光色値ＣTと、寒色側の第１限界値ＣCと、暖色側の第２限界値ＣWとを含む。変形例では、光色値ＣT、第１限界値ＣC、および第２限界値ＣWが、色温度（ケルビン）によって示される。
【００７２】
【数９】
2019192571.tif 000011
【００７３】
変形例では、制御部１３は、第１限界値ＣCと第２限界値ＣWとの間の連続する光色値のうちから、設定値としての光色値ＣTを受け付ける。そして、制御部１３は、式（１Ｂ）〜式（３Ｂ）によって表される第３所定関数に光色値ＣTを入力する。従って、変形例によれば、制御部１３は、第３所定関数を演算することで、段階的な値ではなく、緻密な値として電流値ＩWMを算出できる。
【００７４】
また、変形例では、第１限界値ＣCは、寒色側の第１発光素子３１が発生させる光の光色を示す。第２限界値ＣWは、暖色側の第２発光素子３２が発生させる光の光色を示す。
【００７５】
さらに、変形例では、式（３Ｂ）に示すように、第２発光素子３２の配分率を示す因子ＤＦ２は比率Ｆ２をさらに含む。比率Ｆ２は、寒色側の第１発光素子３１の光束ＦＬ１に対する暖色側の第２発光素子３２の光束ＦＬ２の比率を示す（Ｆ２＝ＦＬ２／ＦＬ１）。
【００７６】
ここで、式（２Ｂ）および式（３Ｂ）において、光量値ＤRおよび光色値ＣTは、設定値であるため、変数である。最大値ＩMAX、第１限界値ＣC、第２限界値ＣW、および比率Ｆ２は、定数である。ただし、制御部１３は、第１限界値ＣCおよび第２限界値ＣWのうちの少なくとも１つを変更可能である。
【００７７】
次に、式（４Ｂ）を参照して、制御部１３による第１電流Ｉ1の電流値ＩCLの算出処理を説明する。
【００７８】
制御部１３は、第４所定関数に基づいて第１電流Ｉ1の電流値ＩCLを算出する。第４所定関数は、式（４Ｂ）によって表される。式（４Ｂ）に示すように、第４所定関数は、式（２Ｂ）によって算出された電流値ＩTと、式（１Ｂ）〜式（３Ｂ）によって算出された第２電流Ｉ2の電流値ＩWMとを含む。制御部１３は、第４所定関数に、緻密な値である電流値ＩWMを入力する。そして、制御部１３は、第４所定関数を演算することで、段階的な値ではなく、緻密な値として電流値ＩCLを算出できる。
【００７９】
【数１０】
2019192571.tif 000012
【００８０】
以上、式（１Ｂ）〜式（４Ｂ）を参照して説明したように、変形例によれば、制御部１３は、第３所定関数および第４所定関数を演算して、電流値ＩCLおよび電流値ＩWMを算出する。従って、電流値ＩCLと電流値ＩWMとの各々は、段階的な値ではなく、緻密な値（例えば連続的な値）として出力される。その結果、段階的な光色の制御ではなく、設定値である光色値ＣTに応じて光源３の光色を緻密に（例えば連続的に）制御できる。また、段階的な光量の制御ではなく、設定値である光量値ＤRに応じて光源３の光量を緻密に（例えば連続的に）制御できる。なお、記憶部１３ａは、第３所定関数および第４所定関数を記憶している。
【００８１】
（実施形態２）
図２を参照して、本発明の実施形態２に係る照明システム３００を説明する。実施形態２の照明システム３００が照明制御装置２００を備える点で、実施形態２は実施形態１と主に異なる。以下、実施形態２が実施形態１と異なる点を主に説明する。
【００８２】
図２は、実施形態２に係る照明システム３００を示す図である。図２に示すように、照明システム３００は、照明制御装置２００と、複数の照明器具１００とを備える。なお、照明システム３００は単数の照明器具１００を備えていてもよい。複数の照明器具１００の各々の構成は、図１を参照して説明した実施形態１または変形例に係る照明器具１００の構成と同様である。
【００８３】
照明制御装置２００と複数の照明器具１００の各々とは、信号線によって接続されて通信する。そして、複数の照明器具１００の各々は、照明制御装置２００による制御を受けて動作する。実施形態２では、照明制御装置２００と複数の照明器具１００の各々とは、ＤＡＬＩ（Ｄｅｇｉｔａｌ  Ａｄｄｒｅｓｓａｂｌｅ  Ｌｉｇｈｔｉｎｇ  Ｉｎｔｅｒｆａｃｅ）規格に準拠したプロトコルに従って通信する。そして、例えば、照明制御装置２００と複数の照明器具１００の各々とは、シリアル通信を実行する。また、例えば、照明制御装置２００と複数の照明器具１００の各々とは、２本の信号線によって接続される。さらに、例えば、照明制御装置２００と複数の照明器具１００の各々とは、２本の電源線によって接続される。ＤＡＬＩ規格では、最大で６４個の照明器具１００を照明制御装置２００に接続可能である。
【００８４】
照明制御装置２００は複数の照明器具１００の各々を制御する。具体的には、照明制御装置２００は複数の照明器具１００の各々の点灯装置１を制御する。
【００８５】
更に具体的には、照明制御装置２００は、光量制御信号および／または光色制御信号を、照明制御装置２００に接続される全ての照明器具１００の点灯装置１に送信する。その結果、全ての照明器具１００の点灯装置１は、光量制御信号および／または光色制御信号に従った光量および／または光色の光を発生するように、光源３を制御する。
【００８６】
又は、照明制御装置２００は、光量制御信号および／または光色制御信号を、照明器具１００の点灯装置１に個別に送信する。具体的には、複数の照明器具１００の各々の点灯装置１には、互いに異なるアドレスが割り当てられている。そして、照明制御装置２００に対して点灯装置１のアドレスが指定されると、照明制御装置２００は、複数の照明器具１００の点灯装置１のうち、指定されたアドレスが割り当てられた１以上の点灯装置１に、光量制御信号および／または光色制御信号を送信する。その結果、１以上の点灯装置１は、光量制御信号および／または光色制御信号に従った光量および／または光色で光を発生するように、光源３を制御する。
【００８７】
光量制御信号は光量値ＤRを含む。実施形態１と同様に、光量値ＤRは、光源３に発生させる光の光量を示す。光色制御信号は光色値ＣTを含む。実施形態１と同様に、光色値ＣTは、光源３に発生させる光の光色を示す。
【００８８】
以上、図２を参照して説明したように、実施形態２によれば、実施形態１または変形例に係る照明器具１００を備える。従って、実施形態２では、実施形態１と同様に、光源３の緻密な光色の制御と、光源３の緻密な光量の制御とを実現できる。例えば、光源３における連続的な光色の制御と、光源３における連続的な光量の制御とを実現できる。
【００８９】
以上、図面を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【産業上の利用可能性】
【００９０】
本発明は、点灯装置、照明器具、および照明システムに関するものであり、産業上の利用可能性を有する。
【符号の説明】
【００９１】
１      点灯装置
３      光源
１２      光源駆動部
１３      制御部
３１      第１発光素子
３２      第２発光素子
１００      照明器具
２００      照明制御装置
３００      照明システム
【図１】
2019192571.tif 000015
【図２】
2019192571.tif 000016